(57)【要約】【課題】  洗い場フロアーのドア取付部両端のサイド部における止水ラインをフロアー面より高い位置まで延長設定させることができて、サイド部に十分な止水性を確保し得る浴室ユニットのドア止水構造を提供する。【解決手段】  受け部材の長手方向の両端部の側壁部と洗い場フロアーのドア取付部の立ち上がり壁部との間に第１のシール材を介挿させ、受け部材の長手方向全域のフロアー当接部とドア取付部の受け部材固定部との間に第２のシール材を介挿させて、ドア取付部のサイド部における止水ラインをフロアー面より高い位置まで延長設定する。【選択図】  図２
2005146668.tif 000002
【特許請求の範囲】
【請求項１】
受け部材固定部のサイド部にフロアー面より高い立ち上がり壁部を有するドア取付部が形成された洗い場フロアーと、前記ドア取付部に取り付けられてドア枠を下方から支持する受け部材と、を備えた浴室ユニットのドア止水構造であって、
前記受け部材は、その長手方向の両端部の側壁部と前記立ち上がり壁部との間及びその長手方向全域のフロアー当接部と前記ドア取付部の受け部材固定部との間にシール手段を介挿させ、前記サイド部における止水ラインをフロアー面より高い位置まで延長設定したことを特徴とする浴室ユニットのドア止水構造。
【請求項２】
前記シール手段は、受け部材の長手方向両端部の側壁部前面と前記立ち上がり壁部の後面との間に介挿される第１のシール材と、受け部材の長手方向全域においてフロアー当接部と前記ドア取付部の受け部材固定部との間に介挿される第２のシール材とを有することを特徴とする請求項１に記載の浴室ユニットのドア止水構造。
【請求項３】
前記第１のシール材は、その前面が洗い場フロアーの前記立ち上がり壁部の後面に当接状態とされ、そのドア取付部内側の側面が受け部材上に支持されたドア枠の外面に当接状態とされることを特徴とする請求項１または２に記載の浴室ユニットのドア止水構造。
【請求項４】
前記第１のシール材と第２のシール材は、一体化された状態で受け部材の側壁部前面とフロアー当接部に接着固定されることを特徴とする請求項２または３に記載の浴室ユニットのドア止水構造。
【請求項５】
前記第１のシール材と第２のシール材は、その少なくとも一方が二色成形等により受け部材に一体形成されていることを特徴とする請求項２ないし４のいずれかに記載の浴室ユニットのドア止水構造。
【発明の詳細な説明】
【技術分野】
【０００１】
本発明は、例えばシステムバスルーム等の浴室ユニットに設けられる浴室ドア下部の止水構造に関する。
【背景技術】
【０００２】
従来、浴室ユニットに設けられる浴室ドアは、洗い場フロアーに設けたドア取付部にドア枠を介して取り付けられており、このドアの止水構造としては、例えば特許文献１もしくは特許文献２に開示されている。これらの止水構造は、図７及び図８に示すように、洗い場フロアー１０１の外周縁部を切り欠くこと等により、長手方向の全域に設けた受け部材固定部１０２と、この受け部材固定部１０２の両端部に、洗い場フロアー１０１のフロアー面１０１ａより上方まで立設されドア取り付けの幅方向を規制する幅方向規制リブ１０３とからなるドア取付部１０４が形成されている。
【０００３】
そして、このドア取付部１０４に、その下方からドア枠を受ける受け部材１０５を取り付けると共に、この受け部材１０５の長手方向の全域に形成された平坦なフロアー当接面１０６と、洗い場フロアー１０１の前記受け部材固定部１０２との間にゴムパッキン等のシール材１０７を介挿させることにより、洗い場フロアー１０１のドア取付部１０４と受け部材１０５との間に所定の止水性を確保するようになっている。
【特許文献１】特開２００２−７０１０１号公報
【特許文献１】特開２００２−７０１０２号公報
【発明の開示】
【発明が解決しようとする課題】
【０００４】
しかしながら、この止水構造においては、受け部材１０５の平坦なフロアー当接部１０６と洗い場フロアー１０１の受け部材固定部１０２との間に、単にゴムパッキン等のシール材１０７が介挿されているのみであるため、洗い場フロアー１０１のドア取付部１０４と受け部材１０５との間には所定の止水性が確保されるものの、シール材１０７による止水ラインが洗い場フロアー１０１のフロアー面１０１ａより低い位置となっており、フロアー当接部１０６の両端部であるサイド部１０８において、フロアー面１０１ａより上方の止水性が何等考慮されていない。その結果、サイド部１０８において、洗い場フロアー１０１のドア取付部１０４の幅方向規制リブ１０３と、受け部材１０５の長手方向の両端部間及びこの受け部材１０５内に配置されるドア枠との間に所定のシール性を確保することが困難であるという問題点を有している。
【０００５】
本発明は、このような事情に鑑みてなされたもので、その目的は、洗い場フロアーのドア取付部両端のサイド部における止水ラインをフロアー面より高い位置まで延長設定させることができて、サイド部に十分な止水性を確保し得る浴室ユニットのドア止水構造を提供することにある。
【課題を解決するための手段】
【０００６】
かかる目的を達成すべく、本発明のうち請求項１に記載の発明は、受け部材固定部のサイド部にフロアー面より高い立ち上がり壁部を有するドア取付部が形成された洗い場フロアーと、前記ドア取付部に取り付けられてドア枠を下方から支持する受け部材と、を備えた浴室ユニットのドア止水構造であって、前記受け部材は、その長手方向の両端部の側壁部と前記立ち上がり壁部との間及びその長手方向全域のフロアー当接部と前記ドア取付部の受け部材固定部との間にシール手段を介挿させ、前記サイド部における止水ラインをフロアー面より高い位置まで延長設定したことを特徴とする。このように構成することにより、洗い場フロアーのドア取付部には、その長手方向の両端部の立ち上がり壁部と受け部材の側壁部との間にシール手段が介挿されることから、サイド部の止水ラインをフロアー面より高い位置まで延長させることができて、該コーナ部に十分な止水性が容易に確保される。
【０００７】
そして、前記シール手段は、請求項２に記載の発明のように、受け部材の長手方向両端部の側壁部前面と前記立ち上がり壁部の後面との間に介挿される第１のシール材と、受け部材の長手方向全域においてフロアー当接部と前記ドア取付部の受け部材固定部との間に介挿される第２のシール材とを有することが好ましい。
【０００８】
また、前記第１のシール材は、請求項３に記載の発明のように、その前面が洗い場フロアーの前記立ち上がり壁部の後面に当接状態とされ、そのドア取付部内側の側面が受け部材上に支持されたドア枠の外面に当接状態とされることが好ましい。また、前記第１のシール材と第２のシール材は、請求項４に記載の発明のように、一体化された状態で受け部材の側壁部前面とフロアー当接部に接着固定されることが好ましい。また、前記第１のシール材と第２のシール材は、請求項５に記載の発明のように、その少なくとも一方が二色成形等により受け部材に一体形成されていることが好ましい。
【発明の効果】
【０００９】
本発明の請求項１に記載の発明によれば、受け部材の長手方向両端部の側壁部と洗い場フロアーの立ち上がり壁部との間、及び受け部材のフロアー当接部と洗い場フロアーの受け部材固定部との間にシール手段が介挿されるため、フロアー当接部の止水ラインをサイド部においてフロアー面より高い位置まで延長設定することができて、受け部材の長手方向全域のフロアー当接部は勿論のこと、そのサイド部にも十分な止水性を同時に確保することができる。
【００１０】
また、請求項２に記載の発明によれば、請求項１に記載の発明の効果に加え、シール手段が、洗い場フロアーの立ち上がり壁部の後面に介挿される第１のシール材と、洗い場フロアーの受け部材固定部に介挿される第２のシール材とで形成されるため、第２のシール材でフロアー面より低い位置の止水ラインを確実にシールしつつ、第１のシール材でサイド部の止水ラインをフロアー面より高い位置まで延長して確実にシールすることができる。
【００１１】
また、請求項３に記載の発明によれば、請求項１または２に記載の発明の効果に加え、第１のシール材の前面が洗い場フロアーの立ち上がり壁部の後面に当接状態とされ、第１のシール材のドア取付部内側の側面がドア枠の外面に当接状態とされるため、第１のシール材で洗い場フロアーと受け部材及びドア枠の３つの部材を同時にシールできて、シール構造を簡略化しつつ確実なシール構造を容易に得ることができる。
【００１２】
また、請求項４に記載の発明によれば、請求項２または３に記載の発明の効果に加え、第１のシール材と第２のシール材が固着や一体成形等により一体化された状態で受け部材で接着固定されるため、各シール材の受け部材への固着作業を確実かつ簡単に行うことができると共に、確実なシール状態を容易に得ることができる。
【００１３】
また、請求項５に記載の発明によれば、請求項１ないし４に記載の発明の効果に加え、第１のシール材と第２のシール材の少なくとも一方が受け部材に二色成形等により一体形成されているため、シール材の受け部材への固着作業が不要となり、シール構造の一層の簡略化を図ることができる。
【発明を実施するための最良の形態】
【００１４】
以下、本発明を実施するための最良の形態を図面に基づいて詳細に説明する。
図１〜図５は、本発明に係わる浴室ユニットのドア止水構造の一実施形態を示し、図１がその断面図、図２がその要部の概略拡大図、図３がドア枠を分解した斜視図、図４及び図５がシール材の取付状態を示す断面図及び要部平面図である。
【００１５】
図１及び図２において、浴室ユニットの洗い場フロアー１は、その外周縁部に立ち上がり壁２が形成されると共に、この立ち上がり壁２をドア取付位置で切り欠くこと等により形成されたドア取付部３を有している。このドア取付部３は、洗い場フロアー１の裏面側にリブ状に突出形成された受け部材固定部３ａと、この受け部材固定部３ａの長手方向両端部に設けられ前記立ち上がり壁２の端部となる立ち上がり壁部３ｂ等で構成されている。
【００１６】
そして、この洗い場フロアー１のドア取付部３には、その下方側から受け部材４が取り付けられると共に、この受け部材４内にドア枠５の下端部が支持されている。受け部材４は、排水口位置に排水管６が下方に向けて設けられた底壁部４ａと、この底壁部４ａの幅方向（浴室内外）の両端部に立設された前壁４ｂ（フロアー当接部）及び後壁４ｃと、底壁部４ａの長手方向の両端部に前壁４ｂや後壁４ｃより上方に突出状態で立設された一対の側壁部４ｄとにより略樋形状に形成されている。
【００１７】
また、図２及び図４に示すように、この受け部材４の側壁部４ｄの浴室内側となる前側外周面７ａと該前側外周面７ａに連続する端部内側面７ｂとで第１のシール面７が形成されると共に、受け部材４の前記前壁４ｂの上面８ａと該上面８ａに連続する上部後面８ｂとで第２のシール面８が形成されている。そして、この受け部材４の底壁部４ａ上に、アルミニウムの押出し成形等により、図３に示すように、上下の横枠５ａや左右の縦枠５ｂで枠状に形成された前記ドア枠５の下端部が載置されて支持されるようになっている。
【００１８】
また、図１〜図５に示すように、洗い場フロアー１のドア取付部３と受け部材４及びドア枠４との間には、シール手段としての例えばゴムパッキン等で形成された第１のシール材９と第２のシール材１０が介挿されている。すなわち、第１のシール材９は、前記第１のシール面７をシールするためのもので、例えば長さの短い板状のゴムパッキンが使用され、受け部材４の側壁部４ｄの前記前側外周面７ａに固着されることにより、洗い場フロアー１の立ち上がり壁部３ｂと受け部材４の側壁部４ｄとの間をシールすると共に、第１のシール材９の幅方向の一端側を所定寸法受け部材４内に突出させることにより、受け部材４で支持されるドア枠５の縦枠５ｂにより折り曲げられて前記端部内側面７ｂに当接し、受け部材４の側壁部４ｄ側面とドア枠５の縦枠５ｂ外面との間をシールするようになっている。
【００１９】
また、第２のシール材１０は、前記第２のシール面８をシールするためのもので、例えば長さの長い板状（帯状）のゴムパッキンが使用され、受け部材４の前記前壁４ｂの上面８ａに固着されることにより、洗い場フロアー１の受け部材固定部３ａと受け部材４の前壁４ｂとの間をシールすると共に、第２のシール材１０の幅方向の一端側を受け部材４内に所定寸法突出させることにより、ドア枠５による該部分の折り曲げで受け部材４の前壁４ｂとドア枠５の横枠５ａ前面との間がシールされるようになっている。
【００２０】
なお、分割状態の第１のシール材９と第２のシール材１０は、その長さや幅、厚さ等が所定に設定されると共に、図５に示すように、第１のシール材９の端部に切り欠き９ａを設け、この切り欠き９ａ内に第２のシール材１０の端部を密に接合させるかもしくは重ね合わせ状態とされて、各シール材９、１０が折り曲げ可能に設定されている。この接合部の構造は切り欠き９ａを設ける構造に限らず、例えば図５の二点鎖線ａで示すように、第１のシール材９（もしくは第２のシール材１０）の端部に折り曲げ用の切り込み１１を入れる構造等を採用することもできる。
【００２１】
次に、前記第１のシール材９と第２のシール材１０の受け部材４への固着方法及び受け部材４やドア枠５の洗い場フロアー１への取付方法の一例について説明する。先ず、予め所定形状に形成された第１のシール材９と第２のシール材１０を準備し、第２のシール材１０の裏面に例えば予め接着されている両面テープ（図示せず）を利用し、第２のシール材１０を受け部材４の第１のシール面８の上面８ａに接着固定する。この時、図２〜図５に示すように、第２のシール材１０の幅方向一端側である後端側を受け部材４内に所定寸法突出状態とさせる。
【００２２】
第２のシール材１０を受け部材４の第１のシール面８に固着したら、第１のシール材９を両面接着テープにより、受け部材４の側壁部４ｄの前側外周面７ａに接着固定し、この時も、第２のシール材２０の幅方向一端部を受け部材４内に所定寸法突出状態とさせる。また、第２のシール材１０と第１のシール材９の接合部は、図５に示すように密に接合した状態とする。
【００２３】
そして、この第１のシール材９と第２のシール材１０の接着状態で、受け部材４を洗い場フロアー１のドア取付部３の受け部材固定部３ａに、下面側及び後方側からネジ１２、１３（図１参照）によって固定する。受け部材４が洗い場フロアー１のドア取付部３に固定されると、第１のシール材９の接着部分である側壁部４ｄの前側外周面７ａ部分が弾性変形してドア取付部３の立ち上がり壁部３ｂの後面に密着すると共に、第２のシール部材１０の接着部分が弾性変形してドア取付部３の受け部材固定部３ａに密着する。これにより、第１のシール材９と第２のシール材１０で洗い場フロアー１（ドア取付部３）と受け部材４とが受け部材４の長手方向の全域においてシールされることになる。
【００２４】
この受け部材４の洗い場フロアー１への取付状態において、受け部材４の底壁部４ａ上に図３の矢印イの如くドア枠５を嵌入して該ドア枠５を所定位置に固定すると、第１のシール材９の受け部材４内に突出した部分がドア枠５の縦枠５ｂ外面で押されて弾性変形しドア枠５に密着した状態となり、また、第２のシール材１０の受け部材４内に突出した部分がドア枠５の横枠５ａ前面で押されて弾性変形し、図１及び図２に示すように、ドア枠５に密着した状態となる。これにより、受け部材４とドア枠５とが受け部材４の長手方向全域においてシールされることになる。
【００２５】
つまり、この止水構造によれば、第１のシール材９により、洗い場フロアー１のドア取付部３のサイド部１４（図３参照）における止水ラインが、第２のシール材１０による洗い場フロアー１のフロアー面１ａより下方に位置する止水ラインに連続状態でフロアー面１ａより高い位置まで延長された状態となり、これにより、ドア取付部３のサイド部１４にフロアー面１ａより高い位置までシール性が確保されることになる。
【００２６】
そして、このドアの止水構造によれば、洗い場フロアー１のフロアー面１ａ上から該フロアー１外に図１の矢印ロの如く漏出する水は、ドア枠５の横枠５ａに形成された排出口５ｃ（図３参照）を通って、受け部材４に回収されて受け部材４の底壁部４ａに設けられた排水口６ａ（図３参照）及び排水管６を介して、図１の矢印ハの如く外部に排水される。この時、洗い場フロアー１の受け部材固定部３ａと受け部材４及びドア枠５との間が、略水平状態で介挿された第２のシール材１０でシールされていることから、この第２のシール材１０により洗い場フロアー１から受け部材４内に流れ落ちる水の受け部材４外への漏出が防止されることになる。
【００２７】
また、受け部材４の側壁部４ｄの前側外周面７ａと洗い場フロアー１のドア取付部３の立ち上がり壁部３ｂ後面及びドア枠５との間が、下部が略水平状態で上部が略垂直状態に介挿された第１のシール材９でシールされていることから、ドア取付部３のサイド部１４において、フロアー面１ａより高い位置まで止水ラインを確保でき、浴室内からドア取付部３に飛散等した水のサイド部１４から外部への漏出も防止されることになる。
【００２８】
このように、上記実施形態の浴室ドアの止水構造にあっては、洗い場フロアー１のドア取付部３のサイド部１４に第１のシール材９が介挿されているため、サイド部１４にフロアー面１ａより高い止水ラインを形成でき、特に、第１のシール材９の端部を第２のシール材１０の端部に接合状態で介挿させることにより、第２のシール材１０でフロアー面１ａより低い位置に形成される止水ラインに連続した状態で、第１のシール材９で形成される止水ラインをフロアー面１ａより高い位置まで延長させることができて、サイド部１４に十分な止水性を得ることができる。
【００２９】
また、第１のシール材９と第２のシール材１０が、それぞれ２つの面からなる各シール面７、８にそれぞれ密着するため、各シール材９、１０によるシール効果を一層高めることができると共に、受け部材４の形状の異なる側壁部４ｄと前壁４ｂに長さ等の形状の異なる第１のシール材９と第２のシール材１０が接着固定されるため、受け部材４に形成される各シール面７、８を確実にシールでき、これらのことから、洗い場フロアー１のドア取付部３に従来では得られなかった十分な止水性を容易に確保することが可能となる。
【００３０】
また、受け部材４の第１のシール面７の前側外周面７ａと第２のシール面８の上面８ａに各シール材９、１０を接着固定すると共に、この受け部材４を洗い場フロアー１のドア取付部３に固定し、受け部材４内にドア枠５を嵌入して支持させるだけで、各シール材９、１０の受け部材４内に突出した部分が弾性変形して各シール面７、８に密着するため、洗い場フロアー１と受け部材４及びドア枠５のシールが一元化されて、シール材９、１０によるシール作業を効率的に行うことができると共に、シール構造自体の簡略化やシール性の一層の向上を図ることが可能となる。
【００３１】
なお、上記実施形態においては、受け部材４の前壁４ｂの上面８ａと側壁部４ｄの前側外周面７ａに、シール手段としてのシール材１０、９をそれぞれ接着することで受け部材４に一体化したが、本発明はこれに限定されず、例えば図６に示すように、硬質樹脂からなる受け部材４の前壁４ｂ上部や側壁部４ｄの前側外周部（もしくはいずれか一方）にシール材としての軟質樹脂からなるシール部１５を二色成形等により一体形成しても良い。このように構成すれば、シール手段を一々受け部材４に接着固定する作業が不要となり、受け部材４にシール手段を簡単かつ確実に配置できると共に、受け部材４自体の取り扱いが容易に行えるという作用効果が得られる。
【００３２】
また、上記実施形態においては、２つのシール材９、１０を各シール面７、８に接着することで、その接合端部を密に接合させたが、例えば第１のシール材９と第２のシール材１０を接合したり、一体成形でシール材を予め作製し、これを２つのシール面７、８に接着することで端部の接合作業を不要とし、各シール材９、１０の接合作業の容易化を図るようにしても良い。
【００３３】
さらに、上記実施形態においては、各シール材９、１０の幅をシール面７、８の各接着面の幅より広く設定することで、折り曲げ可能に形成したが、各シール材９、１０の幅をシール面７、８の前側外周面７ａや上面８ａと略同一幅に設定して、該面７ａ、８ａのみによるシール構造とすることもできる。また、上記実施形態の洗い場フロアー１のドア取付部３の形状や受け部材４及びドア枠５の形状等も一例であって、本発明の各発明に係わる要旨を逸脱しない範囲において適宜に変更することができる。
【産業上の利用可能性】
【００３４】
本発明は、浴室ユニットとしてシステムバスルームに限らず、例えばシャワールームやサウナルーム等の浴室ユニットのドアにも適用できる。
【図面の簡単な説明】
【００３５】
【図１】本発明に係わる浴室ユニットのドア止水構造を示す断面図
【図２】同その要部の概略拡大図
【図３】同そのドアを分解した状態の斜視図
【図４】同そのシール部材の取付状態を示す断面図
【図５】同その要部の平面図
【図６】同シール手段の他の例を説明するための受け部材の断面図
【図７】従来のドア止水構造を示す断面図
【図８】同その斜視図
【符号の説明】
【００３６】
１・・・洗い場フロアー、１ａ・・・フロアー面、２・・・立ち上がり壁、３・・・ドア取付部、３ａ・・・受け部材固定部、３ｂ・・・立ち上がり壁部、４・・・受け部材、４ａ・・・底壁部、４ｂ・・・前壁（フロアー当接部）、４ｃ・・・後壁、４ｄ・・・側壁部、５・・・ドア枠、５ａ・・・横枠、５ｂ・・・縦枠、６・・・排水管、７・・・第１のシール面、７ａ・・・前側外周面、７ｂ・・・端部内側面、８・・・第２のシール面、８ａ・・・上面、８ｂ・・・上部後面、９・・・第１のシール材、９ａ・・・切り欠き、１０・・・第２のシール材、１１・・・切り込み、１４・・・サイド部、１５・・・シール部
【図１】
2005146668.tif 000003
【図２】
2005146668.tif 000004
【図３】
2005146668.tif 000005
【図４】
2005146668.tif 000006
【図５】
2005146668.tif 000007
【図６】
2005146668.tif 000008
【図７】
2005146668.tif 000009
【図８】
2005146668.tif 000010